(57)【要約】【課題】デジタル放送受信機が増えるとポータルサーバへのアクセスが集中するため応答時間が遅くなり、ポータルサーバ側で負荷分散を考慮した高価なシステムを構築しなければならない。【解決手段】ポータル画面を構成するコンテンツとコンテンツの更新情報とを保持する保持部１０３と、コンテンツ更新要求とコンテンツの更新情報とを受信する通信部１０１と、受信したコンテンツの更新情報が保持部１０３に保持するコンテンツの更新情報と同じか新しい場合、通信部１０１を介してコンテンツの更新指示を行わない処理部１０２と、からなる双方向デジタル放送用ポータルサーバ。【選択図】図１
2011124675.tif 000002
【特許請求の範囲】
【請求項１】
ポータル画面を構成するコンテンツと、前記コンテンツの更新情報と、を保持する保持部と、
コンテンツ更新要求と、コンテンツの更新情報と、を受信する通信部と、
前記受信したコンテンツの更新情報が、前記保持部に保持するコンテンツの更新情報と、同じか新しい場合、前記通信部を介してコンテンツの更新指示を行わない処理部と、
からなる双方向デジタル放送用ポータルサーバ。
【請求項２】
前記処理部は、
前記コンテンツ更新要求数を計数し、前記要求数が閾値を超えると前記通信部を介して待機指示を行う
ことを特徴とする請求項１記載の双方向デジタル放送用ポータルサーバ。
【請求項３】
前記処理部は、
前記受信したコンテンツの更新情報が、前記保持部に保持するコンテンツの更新情報よりも過去の場合、前記通信部を介してコンテンツの更新指示及び保存指示を行う
ことを特徴とする請求項１記載の双方向デジタル放送用ポータルサーバ。
【請求項４】
ポータル画面を構成するコンテンツと、前記コンテンツの更新情報と、を保持する保持部と、
コンテンツ更新要求と、前記保持部に保持するコンテンツの更新情報と、を送信する通信部と、
前記コンテンツ更新要求送信時、前記通信部を介してコンテンツの更新指示がない場合、前記保持部に保持するコンテンツを表示する処理部と、
からなる双方向デジタル放送受信機。
【請求項５】
前記処理部は、ポータル画面起動時にネットワークの接続確認を行い、第一の期間内に応答がない場合は前記保持部に保持するコンテンツを表示し、第二の期間内に応答がない場合はネットワークに接続できない旨の表示を行う
ことを特徴とする請求項４記載の双方向デジタル放送受信機。
【請求項６】
ポータル画面を構成するコンテンツと、前記コンテンツの更新情報と、を保持する第一の保持部と、
該第二の通信部から、コンテンツ更新要求と、該第二の保持部に保持するコンテンツの更新情報と、を受信する第一の通信部と、
前記第一の通信部が受信したコンテンツの更新情報が、前記第一の保持部に保持するコンテンツの更新情報と、同じか新しい場合、前記第一の通信部を介してコンテンツの更新指示を行わない第一の処理部と、
からなる双方向デジタル放送用ポータルサーバと、
前記第一の通信部から受信したコンテンツと、前記コンテンツの更新情報と、を保持する第二の保持部と、
前記第一の通信部にコンテンツ更新要求と、前記第一の保持部から受信し前記第二の保持部に保持するコンテンツの更新情報と、を送信する第二の通信部と、
前記コンテンツ更新要求送信時、前記第一の通信部からコンテンツの更新指示がない場合、前記第二の保持部に保持するコンテンツを表示する第二の処理部と、からなる双方向デジタル放送受信機と、
とからなる双方向ポータルサーバシステム。
【請求項７】
ポータル画面を構成するコンテンツと、前記コンテンツの更新情報と、を保持するステップと、
コンテンツ更新要求と、コンテンツの更新情報と、を受信するステップと、
前記受信したコンテンツの更新情報が、前記保持するコンテンツの更新情報と、同じか新しい場合、コンテンツの更新指示を行わないステップと、
からなる双方向デジタル放送用ポータルサーバへのアクセス負荷低減方法。
【請求項８】
ポータル画面を構成するコンテンツと、前記コンテンツの更新情報と、を保持するステップと、
コンテンツ更新要求と、前記保持するコンテンツの更新情報と、を送信するステップと、
前記コンテンツ更新要求送信時、コンテンツの更新指示がない場合、前記保持するコンテンツを表示するステップと、
からなる双方向デジタル放送用ポータルサーバへのアクセス負荷低減方法。
【発明の詳細な説明】
【技術分野】
【０００１】
本発明はＣＡＴＶ（ケーブルＴＶ）等の双方向デジタル放送システムにおける双方向デジタル放送受信機から双方向デジタル放送用ポータルサーバへのアクセス負荷を軽減する技術に関するものである。
【背景技術】
【０００２】
近年、インターネットやＣＡＴＶを利用した双方向デジタル放送システムにおいて、放送局のポータル画面を表示し、情報を集約することにより、従来のテレビ視聴だけでなく、お知らせ等の情報提供サービスも提供し、ユーザの利便性を向上させるポータルサービスの取り組みが一般化しつつある。ポータルサービスの実現方法については、データ放送を利用する方法、ブラウザを使用する方法等があり、単に情報を表示するだけから、ＴＶの画面操作や、ＶＯＤ（ビデオオンデマンド）サービスへの連携等、より使い勝手の良いシステムが提案されている。
【０００３】
従来のデータ放送によるポータル画面の表示の場合、受信機のデータ放送表示用のリモコンボタンを押下すると、データ放送サーバから双方向回線を通じてデータを入手し表示している。
【０００４】
図７は、ＣＡＴＶによる双方向データ放送によるポータル画面を表示するシステムの構成を示すものである。データ放送サーバ７００の保存部７０３に蓄積されたコンテンツデータが放送設備７２０を経由して受信機７６０に伝送される。リモコン７８０のデータ放送ボタンが押下され、ポータル画面が表示され、操作されると、受信機７６０の処理部７６２でデータを解釈し、ＴＶモニタ７７０に表示する。また、リモコン７８０を操作することにより、処理部７６２からの通信で伝送路７５０経由、データ放送サーバ７００に要求やデータを送信し、処理部７０２で処理し、必要に応じて保存部７０３からデータを読み出し、受信機７６０に応答することで双方向サービスを実現している。なお、データ放送による双方向通信の方法については、非特許文献１に記載されている。
【０００５】
Ｗｅｂブラウザを用いたポータルサービスの場合は、Ｗｅｂサーバからインターネット網を経由し、コンテンツデータの取得、情報の送信を行う。
【０００６】
図８は、特許文献1 に記載された従来の情報通信型テレビ受信機８００がインターネットを経由しＷｅｂサーバ８１０に接続される構成図を示すものである。情報通信型テレビ受信機８００に搭載されたＷｅｂブラウザ（インターネットブラウザ）の動作を開始する前にＬＡＮ（ローカルエリアネットワーク）ケーブルの接続状況を確認し、ケーブルが接続されていることを確認したならば、Ｗｅｂブラウザの動作を開始し、Ｗｅｂサーバ８１０からコンテンツを取得・表示する。ケーブルが接続されていないことを確認したならば、エラーメッセージを選局して表示している放送番組コンテンツに重畳して表示させ、所定期間後にエラーメセージの表示を停止させると共に、選局した放送番組コンテンツは表示を継続させている。
【先行技術文献】
【特許文献】
【０００７】
【特許文献１】特開２００７−１１６３２０号公報
【非特許文献】
【０００８】
【非特許文献１】社団法人  電波産業会  標準規格  ＡＲＩＢ  ＳＴＤ−Ｂ２４  ５．３版  第三分冊  ２００９年７月２９日改定（８章  Ｐ４４−５２）
【発明の概要】
【発明が解決しようとする課題】
【０００９】
しかしながら、従来の構成では、接続される受信機の数が増えるとデータ放送サーバ７００やＷｅｂサーバ８１０にアクセスが集中するため、サーバ側で負荷分散を考慮した、大規模で高価なシステムを構築しなければならないという課題を有していた。また従来の構成では、ネットワーク経由でデータを取得するため、受信機のケーブルモデムがリンクするまで、または受信機がインターネットに接続されるまでポータル画面を表示できず、アクセスが集中した場合、特に、ポータル画面の表示に時間がかかるという課題を有していた。
【００１０】
本発明は、前記課題を解決するもので、ポータルサーバへのアクセス集中による負荷を軽減することでポータルサーバの大規模化を防止し、安価にポータル画面を提供する双方向デジタル放送用ポータルサーバおよび双方向デジタル放送受信機を提供することを目的とする。
【課題を解決するための手段】
【００１１】
前記従来の課題を解決するために、本発明の双方向デジタル放送用ポータルサーバは、ポータル画面を構成するコンテンツと前記コンテンツの更新情報とを保持する保持部と、コンテンツ更新要求とコンテンツの更新情報とを受信する通信部と、前記受信したコンテンツの更新情報が前記保持部に保持するコンテンツの更新情報と同じか新しい場合、前記通信部を介してコンテンツの更新指示を行わない処理部と、からなる。
【００１２】
本発明の双方向デジタル放送用ポータルサーバによれば、双方向デジタル放送受信機からアクセス時に通知される更新情報を自身が保持する更新情報と比較するだけで個々の双方向デジタル放送受信機に必要なコンテンツデータをデータベースから検索する必要がなく、双方向デジタル放送用ポータルサーバのアクセス負荷を大幅に低減できる。
【００１３】
また、本発明の双方向デジタル放送受信機は、ポータル画面を構成するコンテンツと前記コンテンツの更新情報とを保持する保持部と、コンテンツ更新要求と前記保持部に保持するコンテンツの更新情報とを送信する通信部と、前記コンテンツ更新要求送信時、前記通信部を介してコンテンツの更新指示がない場合、前記保持部に保持するコンテンツを表示する処理部と、からなる。
【００１４】
本発明の双方向デジタル放送受信機によれば、上記と同様、双方向デジタル放送用ポータルサーバのアクセス負荷を大幅に低減できる。
【００１５】
また、本発明の双方向デジタル放送用ポータルサーバへのアクセス負荷低減方法は、ポータル画面を構成するコンテンツと前記コンテンツの更新情報とを保持するステップと、コンテンツ更新要求とコンテンツの更新情報とを受信するステップと、前記受信したコンテンツの更新情報が前記保持するコンテンツの更新情報と同じか新しい場合、コンテンツの更新指示を行わないステップと、からなる。
【００１６】
また、ポータル画面を構成するコンテンツと前記コンテンツの更新情報とを保持するステップと、コンテンツ更新要求と前記保持するコンテンツの更新情報とを送信するステップと、前記コンテンツ更新要求送信時コンテンツの更新指示がない場合前記保持するコンテンツを表示するステップと、からなる。
【００１７】
本発明の双方向デジタル放送用ポータルサーバへのアクセス負荷低減方法によれば、上記と同様に、双方向デジタル放送用ポータルサーバのアクセス負荷を大幅に低減できる。
【発明の効果】
【００１８】
本発明の双方向デジタル放送用ポータルサーバおよび双方向デジタル放送受信機によれば、双方向デジタル放送受信機からアクセス時に通知される更新情報を自身が保持する更新情報と比較するだけで個々の双方向デジタル放送受信機に必要なコンテンツデータをデータベースから検索する必要がなく、双方向デジタル放送用ポータルサーバのアクセス負荷を大幅に低減できる。
【００１９】
また、本発明の双方向デジタル放送用ポータルサーバによれば、処理数が閾値を超えると双方向デジタル放送受信機に待機指示応答を行うことで、双方向デジタル放送用ポータルサーバへのアクセスの集中を回避し、アクセス負荷を低減できる。
【００２０】
また、本発明の双方向デジタル放送受信機によれば、ポータル画面起動時にネットワークに接続を待たずに、一部コンテンツの表示が可能となり、ポータル画面の起動が高速に行えると共に、双方向デジタル放送用ポータルサーバへのアクセス負荷を低減できる。
【図面の簡単な説明】
【００２１】
【図１】本発明における双方向ポータルサーバシステムの構成図
【図２】本発明におけるポータル画面の図
【図３】本発明の実施例１における双方向デジタル放送用ポータルサーバの処理フロー図
【図４】本発明の実施例２における双方向デジタル放送用ポータルサーバの処理フロー図
【図５】本発明の実施例３における双方向デジタル放送用ポータルサーバの処理フロー図
【図６】本発明の実施例３における双方向デジタル放送受信機の処理フロー図
【図７】従来の双方向データ放送システムの構成図
【図８】従来の情報通信型テレビ受信機システムの構成図
【発明を実施するための形態】
【００２２】
以下本発明を実施するための最良の形態について、図面を参照しながら説明する。
【実施例１】
【００２３】
図１は、本発明の実施例１における双方向ポータルサーバシステム１の構成図である。
【００２４】
図１において、ＣＡＴＶの映像音声信号は、ＣＡＴＶ局の放送設備１２０からＭＩＸ（混合器）１４０、変調器（図示せず）を経由しＣＡＴＶの伝送路１５０に送信され、双方向デジタル放送受信機１６０で受信される。映像音声信号は信号処理部１６３で処理され、表示部１６４を経由しＴＶモニタ１７０に表示される。双方向デジタル放送受信機１６０が起動または、リモコン１８０を操作することにより、受信部１６５で受信されたリモコン信号が処理部１６２で処理され、あらかじめ設定された双方向デジタル放送用ポータルサーバ１００にポータル情報要求アクセスを行う。
【００２５】
具体的なポータル情報要求アクセスは双方向デジタル放送受信機１６０の処理部１６２のポータル処理にかかわるスタートアップ処理で行い、通信部１６１のモデムがリングした状態で、ＣＡＴＶの伝送路１５０を経由し、ＣＡＴＶ局のＣＭＴＳ（ケーブルモデム終端設備）１３０を経由し、ＤＮＳ（ドメインネームサーバ）（図示せず）で指示された双方向デジタル放送用ポータルサーバ１００のＩＰ（インターネット）アドレスにアクセスする。この部分の処理は図７の従来例と同様である。
【００２６】
双方向デジタル放送用ポータルサーバ１００はコンテンツデータを保持部１０３に保持しており、通信部１０１経由、双方向デジタル放送受信機１６０からアクセスがあると処理部１０２が取得すべきコンテンツデータおよびその所在を指示する。双方向デジタル放送受信機１６０の処理部１６２は指示された保持部１０３内の指定されたコンテンツデータを通信部１６１経由で取得し、保持部１６６に保持する。これにより、双方向デジタル放送受信機１６０に接続されたＴＶモニタ１７０に表示部１６４を経由してポータル画面が表示される。
【００２７】
コンテンツデータは情報提供者が端末１１０を操作し双方向デジタル放送用ポータルサーバ１００に設定され、保持部１０３に更新日時とともに保持・管理される。なお、コンテンツデータは端末１１０からではなく、情報提供サーバ（図示せず）から直接双方向デジタル放送用ポータルサーバ１００に提供されても良い。
【００２８】
図２はこのようにして表示されたポータル画面のトップ画面の例である。
【００２９】
２００はポータル画面を表示する背景面である。２０１に受信チャネルの映像が表示される。２０２は個別の機能が割当てられたメニューボタンを構成している。この例では、上からＴＶ視聴に遷移するボタン、ＶＯＤ画面に遷移するボタン、おすすめ画面に遷移するボタン、天気予報やニュースなどの情報画面に遷移するボタンおよび設定画面に推移するボタンである。２０３の枠内の１から６の数字が付与されたボタンは、ＣＡＴＶ局が設定する第一のグループのチャンネル（おすすめチャンネル）と、ユーザが契約チャンネル内から選択設定できる第二のグループ（ユーザ個別チャンネル）に分けられる。２０４はＣＡＴＶ局が提供する端末１１０あるいは情報提供サーバから提供されるお知らせやニュースを表示するティッカー領域である。
【００３０】
端末１１０からの指示で、双方向デジタル放送用ポータルサーバ１００は、背景画面２００や、おすすめチャンネルのデータなどＣＡＴＶ局が推奨したい静的なコンテンツデータを第一のコンテンツデータとして管理し、ユーザ個別チャンネルのデータ等の双方向デジタル放送受信機ごとのデータや、双方向デジタル放送受信機に紐づいたユーザごとのデータを第二のコンテンツデータとして管理する。ユーザごとのデータとしては、ポータル画面情報以外にユーザの住居エリア、年齢層、性別、興味のあるジャンルや、タレント等の情報なども含まれる。第二のコンテンツデータは、２０２の設定ボタン等を押下すると遷移する設定画面から、双方向デジタル放送用ポータルサーバ１００に通知され、双方向デジタル放送受信機を識別する受信機ＩＤまたは受信機ＩＤに紐づくユーザＩＤごとに管理する。ティッカー２０４内のお知らせ情報等は時々刻々変わる情報なので動的な情報として、第一、第二以外のその他のコンテンツデータとして識別する。
【００３１】
図３の処理フロー図を用いて本実施例における双方向デジタル放送ポータルサーバ１００の動作をより詳細に説明する。
【００３２】
図３において、双方向デジタル放送用ポータルサーバの処理部１０２は、双方向デジタル放送受信機１００の通信部１６１経由でポータル情報要求アクセスを通信部１０１経由で受信すると（ステップＳ３０１）、アクセス要求に含まれる情報で通知される双方向デジタル放送受信機１６０の保持部１６６に保持されている第一のコンテンツデータの更新日時と、双方向デジタル放送用ポータルサーバ１００の保持部１０３に保持する第一のコンテンツデータの更新日時を比較し（ステップＳ３０２）、受信した第一のコンテンツデータの更新日時が、保持する第一のコンテンツデータの更新日時と同じか新しい場合なら（最新の場合）、第一のコンテンツデータの更新指示を行わず更新すべき第一のコンテンツデータがない旨のみを双方向デジタル放送受信機１６０に通信部１０１を経由して応答する（ステップＳ３０３）。
【００３３】
この場合、双方向デジタル放送受信機１６０の処理部１６２は、通信部１６１経由で更新すべき第一のコンテンツデータがない旨のみを受信し、保持部１６６に保持している第一のコンテンツデータを読み出し表示部１６４を経由しＴＶモニタ１７０に表示する。
【００３４】
ここで、第一のコンテンツデータの更新日時は、双方向デジタル放送用ポータルサーバ１００の保持部１０３で保存している更新日が双方向デジタル放送受信機１００に送信され、双方向デジタル放送受信機１００の保持部１６６で保持している場合、受信した第一のコンテンツデータの更新日時は、保持部１０３で保持している更新日時と同じとなる。一方、第一のコンテンツデータの更新日時は、双方向デジタル放送受信機１００が第一のコンテンツデータの更新した日を保持部１６６で保持している場合、受信した第一のコンテンツデータの更新日時は、保持部１０３で保持している更新日時よりも新しいものとなる。
【００３５】
また、受信した第一のコンテンツデータの更新日時が、保持する第一のコンテンツデータの更新日時より過去の場合（古い場合）、保持部１０３内の更新すべき第一のコンテンツデータを検索し（ステップＳ３０４）、更新すべき第一のコンテンツデータおよび保持部１０３内の所在を通信部１０１経由で双方向デジタル放送受信機１６０に応答し、更新指示を行う（ステップＳ３０５）。
【００３６】
ティッカー２０４内のお知らせ情報等のその他のコンテンツデータの取得指示は、この後行う。
【００３７】
なお、本実施例では、コンテンツデータの更新日時で比較を行ったが、コンテンツデータのファイルバージョンを用いて比較を行っても良い。
【００３８】
かかる構成によれば双方向デジタル放送ポータルサーバは、双方向デジタル放送受信機からアクセス時に通知される更新情報を自身が保持する更新情報と比較するだけで個々の双方向デジタル放送受信機に必要なコンテンツデータをデータベースから検索する必要がなく、双方向デジタル放送用ポータルサーバのアクセス負荷を大幅に低減できる。
【実施例２】
【００３９】
図４は、本発明の実施例２の双方向デジタル放送用ポータルサーバの処理フロー図である。なお、双方向ポータルサーバシステム１、双方向デジタル放送用ポータルサーバ１００および双方向デジタル放送受信機１６０の構成は実施例１と同様であり、ここでの説明は省略する。
【００４０】
図４において、図３と同様に双方向デジタル放送受信機１６０の通信部１６１経由ポータル情報要求アクセスを通信部１０１経由で受信すると（ステップＳ４０１）、双方向デジタル放送用ポータルサーバ１００の処理部１０２は、処理中の要求数に１を加え（ステップＳ４０２）、要求数が閾値（あらかじめ設定された一定値）を超えたかチェックし（ステップＳ４０３）、超えた場合はポータル情報を要求してきた双方向デジタル放送受信機１６０に対して通信部１０１経由で遅延取得を指示する（ステップＳ４０４）。
【００４１】
遅延取得指示としては、ビジー応答をすることで、双方向デジタル放送受信機１６０がランダムな時間後に再アクセスしても良いし、双方向デジタル放送用ポータルサーバ１００がアクセス中の処理数に応じて、アクセスの集中を回避すべく、再アクセスする時間を指定して応答しても良い。
【００４２】
また、要求数が閾値を超えていない場合は、図３のステップＳ３０２からステップＳ３０５の処理と同様に、双方向デジタル放送用ポータルサーバ１００の保持部１０３で保持する第一のコンテンツデータの更新日時と双方向デジタル放送受信機１６０から通信部１６１経由で受信した第一のコンテンツデータの更新日時を比較し（ステップＳ４０５）、受信した第一のコンテンツデータの更新日時が、保持する第一のコンテンツデータの更新日時と同じか新しい場合なら（最新の場合）、第一のコンテンツデータの更新指示を行わず更新すべき第一のコンテンツデータがない旨のみを双方向デジタル放送受信機１６０に通信部１０１経由で応答する（ステップＳ４０６）
受信した第一のコンテンツデータの更新日時が、保持する第一のコンテンツデータの更新日時より過去の場合（古い場合）、保持部１０３内の更新すべき第一のコンテンツデータを検索し（ステップＳ４０７）、更新すべき第一のコンテンツデータおよび保持部１０３内の所在を通信部１０１経由で双方向デジタル放送受信機１６０に応答し、更新指示を行う（ステップＳ４０８）。
【００４３】
その後、処理中の要求数から１を減じ（ステップＳ４０９）、処理を終了する。処理要求受付後のステップＳ４０３からステップＳ４０８までの処理は複数同時処理できるようなソフトウェア構成（例えばマルチスレッド処理など）で構成する。
【００４４】
かかる構成によれば、双方向デジタル放送用ポータルサーバは、処理数が閾値を超えると双方向デジタル放送受信機に待機指示応答を行うことで、双方向デジタル放送用ポータルサーバへのアクセスの集中を回避し、アクセス負荷を大幅に低減できる。
【実施例３】
【００４５】
図５は、本発明の実施例３の双方向デジタル放送用ポータルサーバの処理フロー図であり、図６は、本発明の実施例３の双方向デジタル放送受信機の処理フロー図である。なお、双方向ポータルサーバシステム１、双方向デジタル放送用ポータルサーバ１００および双方向デジタル放送受信機１６０の構成は実施例１と同様であり、ここでの説明は省略する。
【００４６】
図５において、双方向デジタル放送用ポータルサーバ１００の処理部１０２は双方向デジタル放送受信機１６０からのポータル情報要求アクセス受信時（ステップＳ５０１）、返信すべきポータル情報の内、第一のコンテンツデータを検索し（ステップＳ５０２）、保持部１０３内に保持する第一のコンテンツデータ（更新日時含む）と第一のコンテンツデータの保存指示を通信部１０１経由で双方向デジタル放送受信機１６０に返信し（ステップＳ５０３）、その後、返信すべきポータル情報の内、保持部１０３内に保持するその他のコンテンツデータを検索し（ステップＳ５０４）、その後、その他のコンテンツデータを通信部１０１経由で双方向デジタル放送受信機１６０に返信する（ステップＳ５０５）。
【００４７】
図６において、双方向デジタル放送受信機１６０の処理部１６２は、図２のポータル画面が起動されると（ステップＳ６００）、ネットワーク（ＮＷ）接続を確認し（ステップＳ６０１）、ネットワーク接続できれば双方向デジタル放送用ポータルサーバ１００に通信部１６１経由でポータル情報要求アクセスを送信する（ステップＳ６０５）。
【００４８】
ネットワーク接続できなければ双方向デジタル放送受信機１６０の保持部１６６で保持している第一のコンテンツデータを表示し（ステップＳ６０２）、あらかじめ定められた一定時間待ち（ステップＳ６０３）再びネットワーク接続を行う（ステップＳ６０４）。ネットワーク接続できれば双方向デジタル放送用ポータルサーバ１００に通信部１６１経由でポータル情報要求アクセスを送信する（ステップＳ６０５）。ネットワーク接続できなければ更にあらかじめ定められた一定時間待ち（ステップＳ６０６）、再びネットワーク接続の確認を行う（ステップＳ６０７）。その後、ネットワーク接続できれば双方向デジタル放送用ポータルサーバ１００に通信部１６１経由でポータル情報要求を送信する（ステップＳ６０５）。ネットワーク接続できなければネットワーク接続できない旨表示して（ステップＳ６０８）、終了する（ステップＳ６１５）。
【００４９】
双方向デジタル放送受信機１６０の処理部１６２は、ステップＳ６０５でポータル情報要求アクセスを送信後、その応答で、双方向デジタル放送用ポータルサーバ１００から第一のコンテンツデータの更新指示があるかどうかをチェックし（ステップＳ６０９）、更新指示があれば第一およびその他のコンテンツデータを双方向デジタル放送用ポータルサーバ１００の通信部１０１経由で取得し、表示部１６４を経由しＴＶモニタ１７０に表示する（ステップＳ６１０）。さらに、双方向デジタル放送用ポータルサーバ１００から第一のコンテンツデータの保持指示があるかどうかチェックし（ステップＳ６１１）、保持指示があれば、第一のコンテンツデータ（更新日時含む）を保持部１６６に保持し（ステップＳ６１２）処理を終了する（ステップＳ６５０）。保持指示がなければ第一のコンテンツデータ（更新日時含む）を保持せず処理を終了する（ステップＳ６１５）。
【００５０】
ステップＳ６０９で更新指示がなければ、保持部１６６に保持している第一のコンテンツデータを読み出し表示部１６４を経由しＴＶモニタ１７０に表示する（ステップＳ６１３）。さらに、その他のコンテンツデータを双方向デジタル放送用ポータルサーバ１００から通信部１０１経由で取得し、同様に表示し（ステップＳ６１４）、終了する（ステップＳ６１５）。
【００５１】
かかる構成によれば、双方向デジタル放送用ポータルサーバおよび双方向デジタル放送受信機は、ポータル画面起動時にネットワークに接続を待たずに、一部コンテンツの表示が可能となり、ポータル画面の起動が高速に行えると共に、ポータルサーバへのアクセス負荷を低減できる。
【産業上の利用可能性】
【００５２】
本発明によれば、双方向デジタル放送受信機からアクセス時に通知される更新情報を自身が保持する更新情報と比較するだけで個々の双方向デジタル放送受信機に必要なコンテンツデータをデータベースから検索する必要がなく、双方向デジタル放送受信機からのアクセス負荷を大幅に低減でき、双方向デジタル放送用ポータルサーバとして有用である。
【符号の説明】
【００５３】
１    双方向ポータルサーバシステム
１００    双方向デジタル放送用ポータルサーバ
１０１、１６１    通信部
１０２、１６２    処理部
１０３、１６６    保持部
１１０    端末
１２０    放送設備
１３０    ＣＭＴＳ
１４０    ＭＩＸ
１５０    伝送路
１６０    双方向デジタル放送受信機
１６３    信号処理部
１６４    表示部
１６５    受信部
１７０    ＴＶモニタ
１８０    リモコン
【図１】
2011124675.tif 000003
【図２】
2011124675.tif 000004
【図３】
2011124675.tif 000005
【図４】
2011124675.tif 000006
【図５】
2011124675.tif 000007
【図６】
2011124675.tif 000008
【図７】
2011124675.tif 000009
【図８】
2011124675.tif 000010